【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
片面の割出し可能な切削インサート（３０）であって、
反対側にある菱形の上面および下面（３２、３４）、およびそれらの間に延びる周囲側面（３６）であって、４つの逃げ面（４２）によって分離された交互の鈍角コーナー面および鋭角コーナー面（３８、４０）を有する周囲側面（３６）と、
前記上面および下面（３２、３４）を通過する中心軸（Ａ１）であって、その周りで前記切削インサート（３０）が割出し可能である中心軸（Ａ１）と、
前記上面（３２）と前記２つの鋭角コーナー面（４０）のそれぞれとの交差部分に形成されたノーズ切刃（４４）と
を含み、
前記下面（３４）が、
ベース表面（４６）と、
前記ベース表面（４６）から突出する中央ボス（４８）および正確に２つの係合隆起部（５０）とを含み、前記中央ボス（４８）が、隆起したボス端面（５２）を有し、各係合隆起部（５０）が、Ｖ字型断面を形成する一対の平行に延びる隆起部側面（５４）を含み、
各係合隆起部（５０）が前記２つの鋭角コーナー面（４０）の１つと交差し、かつ前記中央ボス（４８）と交差するように前記鋭角コーナー面（４０）から前記中心軸（Ａ１）に向かって延び、前記ベース表面（４６）が少なくとも２つの分離されたベースサブ表面（５６）に分割される、片面の割出し可能な切削インサート（３０）。
【請求項２】
各係合隆起部（５０）の前記一対の隆起部側面（５４）が鈍角の係合角度（α）を形成する、請求項１に記載の切削インサート（３０）。
【請求項３】
前記ベース表面（４６）がベース面（Ｐ１）を定め、
前記中央ボス（４８）が前記ベース面（Ｐ１）から第１の距離Ｄ１だけ突出し、前記２つの係合隆起部（５０）がそれぞれ、前記ベース面（Ｐ１）から第２の距離Ｄ２だけ突出し、
Ｄ１はＤ２に等しい、請求項１または２に記載の切削インサート（３０）。
【請求項４】
各係合隆起部（５０）が、隆起部側面（５４）の各対を離間する中間面（５８）を含み、
前記ボス端面（５２）および前記２つの中間面（５８）が同一平面上にあり、かつ連続している、請求項３に記載の切削インサート（３０）。
【請求項５】
各中間面（５８）が中間幅Ｗを有し、
ＷがＤ２の半分より大きく、Ｄ２より小さい、請求項４に記載の切削インサート（３０）。
【請求項６】
前記切削インサート（３０）が、前記中心軸（Ａ１）の周りで二回回転対称を呈する、請求項１〜５のいずれか一項に記載の切削インサート（３０）。
【請求項７】
長手面（Ｐ２）が前記中心軸（Ａ１）を含み、かつ前記２つのノーズ切刃（４４）を二等分し、
前記切削インサート（３０）が前記長手面（Ｐ２）の周りで鏡面対称を呈する、請求項１〜６のいずれか一項に記載の切削インサート（３０）。
【請求項８】
通し穴（７６）が前記中心軸（Ａ１）と同軸に延び、かつ前記上面（３２）および前記ボス端面（５２）の両方に開口する、請求項１〜７のいずれか一項に記載の切削インサート（３０）。
【請求項９】
前記ベース表面（４６）が、正確に２つの同一のベースサブ表面（５６）を含む、請求項１〜８のいずれか一項に記載の切削インサート（３０）。
【請求項１０】
工具ホルダ（２２）であって、
前端部（２８）にインサート受入ポケット（２６）を備えた主要本体（２４）を含み、前記インサート受入ポケット（２６）が座面（６０）を含み、前記座面（６０）が、単一の係合溝（６４）が埋め込まれて形成された床面（６２）と、前記床面（６２）から突出する正確に２つの分離された支持段（６６）とを有し、
前記係合溝（６４）が、Ｖ字型断面を形成する一対の平行に延びる溝側面（６８）を含み、
前記２つの支持段（６６）のそれぞれが、隆起した支持面（７０）を有し、
前記２つの支持面（７０）が同一平面上にあり、かつ前記係合溝（６４）の後方に完全に位置付けられる、工具ホルダ（２２）。
【請求項１１】
前記インサート受入ポケット（２６）が、前記２つの支持面（７０）よりも前記係合溝（６４）から離れて完全に位置付けられた正確に２つの当接壁（８６）を有する当接ショルダ部分（８４）を前記座面（６０）の後方に含み、
前記工具ホルダ（２２）の上面図において、前記２つの当接壁（８６）が前方方向に広がる、請求項１０に記載の工具ホルダ（２２）。
【請求項１２】
前記インサート受入ポケット（２６）が、片面の割出し可能な切削インサート（３０）を取外し可能に固定するように構成された、請求項１０または１１に記載の工具ホルダ（２２）。
【請求項１３】
ポケット二等分面（Ｐ３）が前記係合溝（６４）を長手方向に二等分し、
前記座面（６０）が、前記ポケット二等分面（Ｐ３）の周りで鏡面対称を呈する、請求項１０〜１２のいずれか一項に記載の工具ホルダ（２２）。
【請求項１４】
前記一対の平行に延びる溝側面（６８）が、前記２つの支持面（７０）よりも前記ポケット二等分面（Ｐ３）に近接して完全に位置づけられる、請求項１３に記載の工具ホルダ（２２）。
【請求項１５】
前端部（２８）にインサート受入ポケット（２６）が形成された主要本体（２４）を有する工具ホルダ（２２）と、前記インサート受入ポケット（２６）に取外し可能に固定された切削インサート（３０）とを含む切削工具（２０）であって、
前記インサート受入ポケット（２６）が、
単一の係合溝（６４）が埋め込まれて形成された床面（６２）と、前記床面（６２）から突出する２つの分離された支持段（６６）とを有する座面（６０）を含み、
前記係合溝（６４）が、Ｖ字型断面を形成する一対の平行に延びる溝側面（６８）を含み、および前記２つの支持段（６６）のそれぞれが、隆起した支持面（７０）を有し、
前記２つの支持面（７０）が同一平面上にあり、
前記切削インサート（３０）が、
反対側にある菱形の上面および下面（３２、３４）、およびそれらの間に延びる周囲側面（３６）であって、４つの逃げ面（４２）によって分離された交互の鈍角コーナー面および鋭角コーナー面（３８、４０）を有する周囲側面（３６）と、
前記上面および下面（３２、３４）を通過する中心軸（Ａ１）であって、その周りで前記切削インサート（３０）が割出し可能である中心軸（Ａ１）と、
前記上面（３２）と前記２つの鋭角コーナー面（４０）のそれぞれとの交差部分に形成されたノーズ切刃（４４）と
を含み、
前記下面（３４）がベース表面（４６）を含み、および前記ベース表面（４６）から突出する正確に２つの係合隆起部（５０）を含み、
各係合隆起部（５０）が、Ｖ字型断面を形成する一対の平行に延びる隆起部側面（５４）を含み、各係合隆起部（５０）が前記２つの鋭角コーナー面（４０）の１つと交差し、かつ前記鋭角コーナー面（４０）から前記中心軸（Ａ１）に向かって延び、
前記切削インサート（３０）の前記下面（３４）が、
稼働する前記ノーズ切刃（４４）に最も近接して位置付けられた前記係合隆起部（５０）の前記一対の隆起部側面（５４）が、前記単一の係合溝（６４）の対応する前記一対の溝側面（６８）と接触し、
前記稼働するノーズ切刃（４４）より非稼働ノーズ切刃（４４）に近接して完全に位置付けられた前記ベース表面（４６）が、２つの支持領域（７２）で前記２つの隆起した支持面（７０）と接触すること
のみによって、前記インサート受入ポケット（２６）の前記座面（６０）に対して締め付けられる、切削工具（２０）。
【請求項１６】
隆起したボス端面（５２）を有する中央ボス（４８）が前記ベース表面（４６）から突出し、各係合隆起部（５０）が前記中央ボス（４８）と交差し、
前記ベース表面（４６）が少なくとも２つの分離されたベースサブ表面（５６）に分割され、前記２つの支持領域（７２）が、前記少なくとも２つのベースサブ表面（５６）の２つに位置付けられる、請求項１５に記載の切削工具（２０）。
【請求項１７】
各係合隆起部（５０）が、隆起部側面（５４）の各対を離間する中間面（５８）を含み、
前記ボス端面（５２）および前記２つの中間面（５８）が同一平面上にあり、かつ連続しており、
前記稼働するノーズ切刃（４４）に最も近接して位置付けられた前記係合隆起部（５０）の前記中間面（５８）が、前記係合溝（６４）のどの表面とも当接しない、請求項１６に記載の切削工具（２０）。
【請求項１８】
通し穴（７６）が前記中心軸（Ａ１）と同軸に延び、かつ前記上面（３２）および前記ボス端面（５２）の両方に開口し、
前記通し穴（７６）に位置付けられた締付ねじ（７８）が、前記座面（６０）のねじ穴（８０）にねじ係合され、
前記通し穴（７６）および前記ねじ穴（８０）が、互いに偏心した関係にある、請求項１６又は１７に記載の切削工具（２０）。
【請求項１９】
前記インサート受入ポケット（２６）が、正確に２つの当接壁（８６）を有する当接ショルダ部分（８４）を前記座面（６０）の後方に含み、
前記切削インサート（３０）の前記周囲側面（３６）が、
前記非稼働ノーズ切刃（４４）に最も近接して位置付けられた前記２つの逃げ面（４２）のそれぞれが、前記２つの当接壁（８６）の異なる１つと接触すること
のみによって、前記インサート受入ポケット（２６）の前記当接ショルダ（８４）に対して締め付けられる、請求項１５〜１８のいずれか一項に記載の切削工具（２０）。
【請求項２０】
前記２つの支持領域（７２）がそれぞれ、前記非稼働ノーズ切刃（４４）に最も近接して位置付けられた前記２つの逃げ面（４２）の異なる１つによって境界を定められる、請求項１５〜１９のいずれか一項に記載の切削工具（２０）。